(57)【要約】【課題】  電磁式のアクチュエータを用いた入賞装置において、遊技球通路にて球詰まりが発生してしまうことを防止する。【解決手段】  第一始動口通路９ａを流下する遊技球がアクチュエータ１５に近接することを防止する樹脂製の吸引防止カバー１４ｅを設ける。これにより、アクチュエータ１５（励磁コイル１５ａ）に通電されているときに、強磁性材料製の遊技球が第一始動口通路９ａを流下しても、遊技球がアクチュエータ１５側に吸引されてしまうことを防止できる。したがって、第一始動口通路９ａにおける遊技球の流下が阻害されてしまうことを防止できるので、第一始動口通路９ａにて球詰まりが発生してしまうことを未然に防止でき、入賞装置１４の小型化を図ることができる。【選択図】  図４
2006136643.tif 000002
【特許請求の範囲】
【請求項１】
弾球遊技機の遊技盤の前面に配設され、遊技球が入賞可能な入賞口を有する入賞口本体と、
前記入賞口に遊技球が入賞し易い開状態と、遊技球が入賞し難い閉状態とに切り換え可能な可動片と、
前記可動片を開状態又は閉状態に駆動する電磁式のアクチュエータと、
前記入賞口に入賞した遊技球を流下させる遊技球通路と、
前記遊技球通路を流下する遊技球が前記アクチュエータに吸引することを防止する吸引防止部材と
を備えていることを特徴とする弾球遊技機の入賞装置。
【請求項２】
前記吸引防止部材は、非磁性材料にて構成されていることを特徴とする請求項１に記載の弾球遊技機の入賞装置。
【請求項３】
前記吸引防止部材のうち遊技球が衝突する衝突面衝突面は、前記衝突面衝突面に向かって流下する遊技球の流下方向に対して交差するように傾いていることを特徴とする請求項２に記載の弾球遊技機の入賞装置。
【請求項４】
前記吸引防止部材は、その厚みが遊技球の流下方向上流側から下流側に向かうほど厚くなるようにテーパ状に形成されていることを特徴とする請求項３に記載の弾球遊技機の入賞装置。
【請求項５】
前記入賞口本体には、前記アクチュエータを固定するための固定部が取付けられており、
さらに、前記吸引防止部材は、前記固定部に一体成形されていることを特徴とする請求項４に記載の弾球遊技機の入賞装置。
【請求項６】
前記入賞口本体には、前記入賞口とは別に第２の入賞口が設けられており、
さらに、前記固定部は、前記第２の入賞口から入賞した遊技球が流下する第２の遊技球通路の一部を構成していることを特徴とする請求項５に記載の弾球遊技機の入賞装置。
【請求項７】
前記固定部は、樹脂製であることを特徴とする請求項６に記載の弾球遊技機の入賞装置。
【請求項８】
前記入賞口と前記第２の入賞口とは、上下方向に並んで近接しており、
さらに、前記入賞口本体は、前記第２の遊技球通路の一部をも構成していることを特徴とする請求項７に記載の入賞装置。
【請求項９】
請求項１ないし８のいずれか１つに記載の入賞装置を備えたことを特徴とする弾球遊技機。
【発明の詳細な説明】
【技術分野】
【０００１】
本発明は、可動片を開閉作動させることにより、入賞口に遊技球が入賞し易くする場合と入賞し難くする場合とを切り換える入賞装置に関するもので、特に、複数個の入賞口が一体化された入賞装置に適用して有効である。
【背景技術】
【０００２】
弾球遊技機においては、電磁式のアクチュエータにて、入賞装置に設けられた一対の可動片を略直立させて入賞口に遊技球が入賞し難い状態にする場合（以下、このような状態を入賞口が閉じた状態と言う。）と、一対の可動片を逆ハの字状に傾斜させて入賞口に遊技球が入賞し易い状態にする場合（以下、このような状態を入賞口が開いた状態と言う。）とを切り換えている（例えば、特許文献１参照）。
【０００３】
また、特許文献１に記載の入賞装置に採用されているアクチュエータ（平箱形ソレノイド）は、励磁コイル及び鉄心等からなる電磁石、並びに電磁継電器（リレー）の可動接点のごとくバネ特性を有する揺動板片を有して構成されたもので、揺動板片を可動片に連結した状態で、電磁石へ通電をＯＮ／ＯＦＦすることにより、揺動板片を揺動させて入賞口を開閉している。
【特許文献１】特開２００３−２３６１２０号公報
【発明の開示】
【発明が解決しようとする課題】
【０００４】
ところで、近年、入賞装置の小型化要求が高まってきているが、入賞装置を単純に小型化すると、以下に述べる問題が発生する。
すなわち、入賞口の開閉は、前述のごとく、電磁式のアクチュエータにて可動片を駆動することにより行われるが、入賞装置を小型化すると、必然的に、この電磁式のアクチュエータと入賞口から入賞した遊技球が流下する遊技球通路とが近接した状態で配置される。
【０００５】
一方、遊技球は、通常、鋼球等の磁性材料にて構成されているため、電磁式のアクチュエータと遊技球通路とが近接配置されると、電磁式のアクチュエータから漏れ出る磁束により、遊技球がアクチュエータ側に吸引されてしまうので、遊技球通路における遊技球の流下が阻害され、遊技球通路にて球詰まりが発生してしまうという問題が発生する。
【０００６】
本発明は、上記点に鑑み、電磁式のアクチュエータを用いた入賞装置において、遊技球通路にて球詰まりが発生してしまうことを防止することを目的とする。
【課題を解決するための手段】
【０００７】
本発明は、上記目的を達成するために、請求項１に記載の発明では、弾球遊技機の遊技盤の前面に配設され、遊技球が入賞可能な入賞口（９）を有する入賞口本体（１４ｂ）と、入賞口（９）に遊技球が入賞し易い開状態と、遊技球が入賞し難い閉状態とに切り換え可能な可動片（１４ａ）と、可動片（１４ａ）を開状態又は閉状態に駆動する電磁式のアクチュエータ（１５）と、入賞口（９）に入賞した遊技球を流下させる遊技球通路（９ａ）と、遊技球通路（９ａ）を流下する遊技球がアクチュエータ（１５）に吸引することを防止する吸引防止部材（１４ｅ）とを備えていることを特徴とする。
【０００８】
これにより、アクチュエータ（１５）が通電されているときに、磁性材料製の遊技球が遊技球通路（９ａ）を流下しても、遊技球がアクチュエータ（１５）側に吸引されてしまうことを防止できる。
【０００９】
したがって、遊技球通路（９ａ）における遊技球の流下が阻害されてしまうことを防止できるので、遊技球通路（９ａ）にて球詰まりが発生してしまうことを未然に防止でき、弾球遊技機の入賞装置の小型化を図ることができる。
【００１０】
請求項２に記載の発明では、吸引防止部材（１４ｅ）は、非磁性材料にて構成されていることを特徴とする。
これにより、例えば吸引防止部材（１４ｅ）をＳＰＣＣ等の磁性材料にて構成した場合に比べて、吸引防止部材（１４ｅ）をアクチュエータ（１５）に近接して設けても、遊技球がアクチュエータ（１５）側に吸引されてしまうことを十分に防止することができる。したがって、遊技球通路（９ａ）をアクチュエータ（１５）に近接して配置することが可能となるので、弾球遊技機の入賞装置を一層小型にすることができる。
【００１１】
請求項３に記載の発明では、吸引防止部材（１４ｅ）のうち遊技球が衝突する衝突面衝突面（１４ｇ）は、衝突面衝突面（１４ｇ）に向かって流下する遊技球の流下方向（Ｄ）に対して交差するように傾いていることを特徴とする。
【００１２】
これにより、吸引防止部材（１４ｅ）に衝突する遊技球の流下方向を所定の方向に容易に転向させることができるとともに、衝突面（１４ｇ）に作用する衝突力を分散させることができ、吸引防止部材（１４ｅ）の耐久性を向上させることができる。
【００１３】
なお、衝突面（１４ｇ）を請求項３に記載のごとく傾けるに当たっては、請求項４に記載されているように、吸引防止部材（１４ｅ）の厚み（ｔ）を遊技球の流下方向上流側から下流側に向かうほど厚くなるようにしてテーパ状に形成してもよい。
【００１４】
請求項５に記載の発明では、入賞口本体（１４ｂ）には、アクチュエータ（１５）を固定するための固定部（１４ｆ）が取付けられており、さらに、吸引防止部材（１４ｅ）は、固定部（１４ｆ）に一体成形されていることを特徴とする。
【００１５】
これにより、入賞装置の部品点数及び製造工数が増大することを防止しながら吸引防止部材（１４ｅ）を設けることができるので、弾球遊技機の入賞装置の製造原価上昇を防止しながら、球詰まりを防止することができる。
【００１６】
請求項６に記載の発明では、入賞口本体（１４ｂ）には、入賞口（９）とは別に第２の入賞口（１１）が設けられており、さらに、固定部（１４ｆ）は、第２の入賞口（１１）から入賞した遊技球が流下する第２の遊技球通路（９ａ）の一部を構成していることを特徴とする。
【００１７】
これにより、より一層、入賞装置の部品点数及び製造工数が増大することを防止しながら、弾球遊技機の入賞装置の小型化を図ることができる。
請求項７に記載の発明は、固定部（１４ｆ）は、樹脂製であることを特徴とするものである。
【００１８】
請求項８に記載の発明では、入賞口（９）と第２の入賞口（１１）とは、上下方向に並んで近接しており、さらに、入賞口本体（１４ｂ）は、第２の遊技球通路（９ａ）の一部をも構成していることを特徴とする。
【００１９】
これにより、複数個の入賞口（９）、（１１）を有する弾球遊技機の入賞装置においても、部品点数及び製造工数が増大することを防止しながら、弾球遊技機の入賞装置の小型化を図ることができる。
【００２０】
請求項９に記載の発明では、請求項１ないし８のいずれか１つに記載の入賞装置を備えたことを特徴とする。
これにより、弾球遊技機の部品点数及び製造工数の低減を図ることができるので、弾球遊技機の製造原価低減を図ることができる。
【００２１】
因みに、上記各手段等の括弧内の符号は、後述する実施形態に記載の具体的手段等との応係を示す一例である。
【発明を実施するための最良の形態】
【００２２】
（第１実施形態）
本実施形態は、いわゆるセブン機と呼ばれるタイプの弾球遊技機（以下、単に遊技機という。）に本発明を適用したものであり、以下、本発明の実施形態について図１〜図７に基づいて説明する。
【００２３】
先ず、遊技機１本体の概略構造について図１及び図２に基づいて説明する。なお、図１は遊技機１の正面図であり、図２は遊技盤７の詳細図である。
遊技機１の前面部は、図１に示すように、主として外枠（本体枠）２、中枠（図示せず。）、前面枠３、上皿部４、下皿部５及び発射ハンドル６等が設けられており、前面枠３内には、遊技盤７が配設されている。
【００２４】
ここで、中枠は、外枠２の左端側に設けられたヒンジ（図示せず。）を介して開閉可能に外枠２に組み付けられ、前面枠３は、中枠の前面に配置された状態で中枠の左端側にて中枠に対して開閉可能に支持されている。
【００２５】
また、上皿部４は、中枠の前面であって、かつ、前面枠３の下側に配置されて中枠の左端側にて中枠に開閉可能に支持されており、この上皿部４には、上皿部４に溜まった遊技球を下皿部５に流下させるための排出口（図示せず。）及びこの排出口を開閉するための玉抜きボタンや遊技球の貸出・返却ボタンが設けられている。
【００２６】
一方、上皿部４の下方に設けられた下皿部５には、下皿部５に貯留された遊技球を遊技機１から排出するめの排出口（図示せず。）や灰皿（図示せず。）等が設けられている。
また、発射ハンドル６は、下皿部５の右側に配置された遊技球の発射装置ユニット（図示せず。）を操作する操作手段であり、この発射ハンドル６には、遊技者が発射ハンドル６に触れていることを検知するタッチスイッチや遊技球の発射を一時的に停止させる発射停止スイッチ等が設けられている。
【００２７】
また、本実施形態に係る遊技盤７は、周知の弾球遊技機とほぼ同様であり、この遊技盤７には、図２に示すように、遊技盤７の表面に設けられた外レール７ａと内レール７ｂとにより略円形状の遊技領域７ｃが形成されており、この遊技領域７ｃ内には、中央装置８と、第一始動口９、変動入賞装置１０、第二始動口１１、普通図柄作動ゲート１２、及び多数本の障害釘（図示せず。）等が設けられている。
【００２８】
中央装置８は、遊技領域７ｃの略中央部に位置し、主に演出用の図柄を表示する液晶表示装置８ａを有して構成されており、この液晶表示装置８ａでは、遊技状態に応じた演出用の図柄が表示される。
【００２９】
そして、例えば遊技球が第一始動口９に入賞すると、液晶表示装置８ａに表示される演出用の図柄が変動した後に停止表示される。また、例えば普通図柄作動ゲート１２を遊技球が通過すると、表示される図柄が変動して、所定時間経過後に１種類の奇数数字が停止表示され、特定の図柄が停止表示されると、第一始動口９が所定時間（例えば、０．５秒）開放される。
【００３０】
なお、普通図柄作動ゲート１２内には、普通図柄作動ゲート検知スイッチＳ１（図３参照）が配設されており、この普通図柄作動ゲート検知スイッチＳ１により、普通図柄作動ゲート１２を遊技球が通過したか否かが検知される。
【００３１】
第一始動口９は、いわゆるチューリップ式で左右に一対の翼片部１４ａが開閉することにより、入賞口を開閉するもので、その内部には、遊技球の通過を検知する第一始動口入賞検知スイッチＳ２（図３参照）、及び翼片部を作動させるためのアクチュエータ１５（図３参照）が備えられている。そして、この第一始動口９及び第二始動口１１は、ユニット化（一体化）されて本発明の実施形態に係る入賞装置１４が構成されている。なお、入賞装置１４の詳細は後述する。
【００３２】
変動入賞装置１０は、変動入賞装置１０の略中央に位置して帯状に開口した大入賞口１０ａ、この大入賞口１０ａを開閉する開閉板１０ｂ、この開閉板１０ｂを開閉作動させるためのアクチュエータ１０ｃ（図３参照）、大入賞口１０ａに入賞した後に遊技球が通過する特定領域であるＶ入賞口及び一般入賞口（図示せず。）、並びに入賞球を検知する入賞球検知スイッチＳ３（図３参照）等から構成されている。
【００３３】
なお、遊技盤７の最下部には、第一始動口９及び第二始動口１１等のいずれの入賞口にも入賞しなかった遊技球を遊技盤７外に排出するためのアウト口１３が設けられている。
次に、遊技機１の電子制御装置２０の概略を、図３に示すブロック図に基づいて説明する。
【００３４】
電子制御装置２０は、主制御部２１と、主として賞球の払出制御を行う払出制御部２２、主に演出用の図柄の表示を制御する特別図柄制御部２３、並びに演出用の音声及び照明を制御する音声・ランプ制御部２４等の副制御部とを有して構成されている。
【００３５】
因みに、図３中、実線の矢印は信号が流れる信号ラインを示し、破線の矢印は、各制御部２１〜２４への電源供給経路を示しており、電源からの電力は、先ず、電源受電基板２５に供給され、電源ユニット２６で所定電圧に変換された後、分電基板２７から各制御部２１〜２４に供給される。
【００３６】
そして、主制御部２１の入出力回路部（図示せず。）には、普通図柄作動ゲート通過検知スイッチＳ１、始動口入賞検知スイッチＳ２、入賞球検知スイッチＳ３、第二始動口１１に遊技球が入賞か否か検知する検知スイッチＳ４等の遊技球検知手段、並びに各種アクチュエータ１５、１０ｃ等が接続されている。
【００３７】
また、音声・ランプ制御部２４のコネクタ出力部（図示せず。）には、演出用のランプ及びＬＥＤに装着された各種ランプ基板２４ａ及び各種ＬＥＤ基板２５ｂ、並びに演出用の音声を出力するスピーカ（図示せず。）を駆動する音声出力基板２４ｃ等が接続されており、これらの各基板に接続されたランプ、ＬＥＤ及びスピーカは、ゲームの進行状況に応じて点灯・消灯又は点滅等の作動を行う。
【００３８】
また、払出制御部２２には、賞球を払い出す賞球払出装置２２ａ、遊技球を遊技盤７内に発射するための発射装置制御部２２ｂ及び払出用端子基板２２ｃが接続されており、この払出用端子基板２２ｃには、発射停止スイッチ、タンク球切れ検知スイッチ及び補給球切れ検知スイッチ等の図示しない各種スイッチが接続されている。
【００３９】
次に、入賞装置１４について、図４〜図７に基づいて説明する。なお、図４（ａ）は第一始動口９が開いた状態における入賞装置１４の正面図であり、図４（ｂ）は図４（ａ）のＡ−Ａ断面図であり、図５（ａ）は第一始動口９が閉じた状態における入賞装置１４の正面図であり、図５（ｂ）は図５（ａ）のＡ−Ａ断面図であり、図６及び図７はアクチュエータ１５の作動を示す斜視図である。
【００４０】
本実施形態に係る入賞装置１４は、第一始動口９と第二始動口１１とが上下方向に並んで近接するように一体化されたものあり、具体的には、図４又は図５に示すように、第一始動口９、第一始動口９を開閉する可動片をなす左右に一対の翼片部１４ａ、一対の翼片部１４ａを開閉作動させる電磁式のアクチュエータ１５、アクチュエータ１５を入賞口本体に固定するホルダー１４ｆ、並びに第一始動口９から入賞した遊技球が流下する第一始動口通路９ａの一部及び第二始動口１１から入賞した遊技球が流下する第二始動口通路１１ａの一部を構成する入賞口本体１４ｂ等から構成されている。
【００４１】
因みに、本実施形態に係る入賞装置１４においては、第一始動口９が特許請求の範囲に記載された入賞口に相当し、第二始動口１１が特許請求の範囲に記載された第２の入賞口に相当し、第一始動口通路９ａが特許請求の範囲に記載された遊技球通路に相当し、第二始動口通路１１ａが特許請求の範囲に記載された第２の遊技球通路に相当し、ホルダー１４ｆが特許請求の範囲に記載された固定部に相当する。
【００４２】
ここで、第一始動口９が閉じた状態とは、図５（ａ）に示すように、一対の翼片部１４ａが略直立した状態となって遊技球が第一始動口９に入賞し難い状態を言い、第一始動口９が開いた状態とは、図４（ａ）に示すように、一対の翼片部１４ａが逆ハの字状に傾斜して第一始動口９に遊技球が入賞し易くなる状態を言う。
【００４３】
また、アクチュエータ１５は、図７に示すように、通電されることにより磁界を誘起する励磁コイル１５ａ、励磁コイル１５ａにより誘起された磁束の磁路を構成するヨーク１５ｂ、励磁コイル１５ａ内に変位可能に収納されたプランジャ１５ｃ、及びプランジャ１５ｃを励磁コイル１５ａ外に押し出すような弾性力をプランジャ１５ｃに作用させるバネ１５ｄ等から構成されている。
【００４４】
そして、本実施形態では、プランジャ１５ｃを鉄等の磁化特性に優れた強磁性材料にて構成するとともに、その表面に樹脂（例えば、フッ素樹脂）製の被膜を形成して、プランジャ１５ｃの酸化（腐食）を防止しつつ、摺動抵抗の低減を図っている。
【００４５】
また、ヨーク１５ｂは、加工性及び磁化特性に優れた材料（例えば、ＳＰＣＣ等の圧延鋼板）製であり、本実施形態では、プレス加工にて略コの字状に形成された第１ヨーク部材と矩形板状の第２ヨーク部材とを勘合させることにより、矩形枠状のヨーク１５ｂを構成している。
【００４６】
また、本実施形態では、バネ１５ｄとして、その変形量に対して発生する弾性力が非線形的に増大する非線形バネ（本実施形態では、円錐コイルバネ）を採用することにより、プランジャ１５ｃが吸引されて翼片部１４ａが傾斜（開く）作動する際に、翼片部１４ａ又はプランジャ１５ｃに作用する衝突力を緩和して第一始動口９の作動音を低減している。
【００４７】
また、翼片部１４ａは、入賞口本体１４ｂの前面側に固定された遊技球受け部１４ｃに対して揺動可能に組み付けられ、プランジャ１５ｃの往復運動を翼片部１４ａに伝達する揺動リンク１４ｄは、入賞口本体１４ｂに揺動可能に組み付けられている。
【００４８】
そして、翼片部１４ａと揺動リンク１４ｄとの連結部Ｊ１は、翼片部１４ａの揺動支点からずれた位置に設けられ、かつ、揺動リンク１４ｄとプランジャ１５ｃとの連結部Ｊ２は、揺動リンク１４ｄの揺動支点からずれた位置に設けられている。このため、プランジャ１５ｃの往復運動は、揺動リンク１４ｄによってその運動方向（本実施形態では、水平方向）が略９０度（本実施形態では、鉛直方向に）転向させられて翼片部１４ａに伝達される。
【００４９】
また、第一始動口通路９ａのうちアクチュエータ１５のヨーク１５ｂ及びバネ１５ｄに面する部位には、図４（ｂ）及び図５（ｂ）に示すように、第一始動口通路９ａを流下する遊技球がアクチュエータ１５に吸引されることを防止する吸引防止カバー１４ｅが設けられており、本実施形態では、この吸引防止カバー１４ｅとアクチュエータ１５を固定するためのホルダー１４ｆとが、樹脂等の非磁性材料にて一体成形されている。
【００５０】
また、本実施形態では、図４（ｃ）に示すように、遊技球の流下方向上流側から下流側に向かうほど、つまり吸引防止カバー１４ｅの先端側から根本側に向かうほど吸引防止カバー１４ｅの厚みｔを厚くして吸引防止カバー１４ｅをテーパ状に形成することによって、吸引防止カバー１４ｅのうち遊技球が衝突する衝突面１４ｇを、この衝突面１４ｇに向かって流下する遊技球の流下方向Ｄ、つまり紙面左側から右側に向かう方向に対して交差するように傾けている。
【００５１】
また、入賞口本体１４ｂ及びホルダー１４ｆは、図４（ｂ）及び図５（ｂ）に示すように、第二始動口通路１１ａの一部を構成している。そして、入賞口本体１４ｂには、第二始動口１１に入賞した遊技球の流下方向を鉛直方向から水平方向に転向させる略三角状の案内突起１４ｈが一体成形され、ホルダー１４ｆには、紙面左側から右側に流下する遊技球を紙面奥側へ略９０度転向させる略三角状の案内突起１４ｊが一体成形されている。
【００５２】
次に、入賞装置１４の作動について説明する。
１．非通電時（第一始動口９が閉じた状態）
励磁コイル１５ａへの通電を遮断すると、図５（ｂ）及び図７に示すように、バネ１５ｄの弾性力によってプランジャ１５ｃが励磁コイル１５ａから飛び出すように変位し、これと連動して、翼片部１４ａは直立するように揺動して第一始動口９が閉じる。
２．通電時（第一始動口９が開いた状態）
励磁コイル１５ａへ通電すると、電磁吸引力がバネ１５ｄの弾性力を上回るため、図４（ｂ）及び図６に示すように、プランジャ１５ｃが励磁コイル１５ａ内に引き込まれるように変位し、これと連動して、翼片部１４ａは傾斜して第一始動口９が開く。
【００５３】
次に、本実施形態に係る入賞装置１４の特徴を説明する。
本実施形態に係る入賞装置１４では、吸引防止カバー１４ｅが設けられているので、アクチュエータ１５（励磁コイル１５ａ）が通電されているときに、磁性材料製の遊技球が第一始動口通路９ａを流下しても、遊技球がアクチュエータ１５側に吸引されてしまうことを防止できる。
【００５４】
したがって、第一始動口通路９ａにおける遊技球の流下が阻害されてしまうことを防止できるので、第一始動口通路９ａにて球詰まりが発生してしまうことを未然に防止でき、入賞装置１４の小型化を図ることができる。
【００５５】
また、吸引防止カバー１４ｅは、非磁性材料にて構成されているので、例えば吸引防止カバー１４ｅをＳＰＣＣ等の磁性材料にて構成した場合に比べて、吸引防止カバー１４ｅをアクチュエータ１５に近接して設けても、遊技球がアクチュエータ１５側に吸引されてしまうことを十分に防止することができる。したがって、第一始動口通路９ａをアクチュエータ１５に近接して配置することが可能となるので、入賞装置１４を一層小型にすることができる。
【００５６】
また、吸引防止カバー１４ｅの衝突面１４ｇが遊技球の流下方向Ｄに対して傾いているので、吸引防止カバー１４ｅに衝突する遊技球の流下方向を所定の方向に容易に転向させることができるとともに、衝突面１４ｇに作用する衝突力を分散させることができ、吸引防止カバー１４ｅの耐久性を向上させることができる。
【００５７】
また、吸引防止カバー１４ｅとアクチュエータ１５を固定するためのホルダー１４ｆとが一体成形されているので、入賞装置１４の部品点数及び製造工数が増大することを防止しながら吸引防止カバー１４ｅを設けることができる。延いては、入賞装置１４の製造原価上昇を防止しながら、球詰まりを防止することができる。
【００５８】
また、第一始動口９と第二始動口１１とが一体化された入賞装置１４において、入賞口本体１４ｂ及びホルダー１４ｆは、第一始動口通路９ａ及び第二始動口通路１１ａの一部を構成しているので、入賞装置１４の部品点数及び製造工数が増大することを防止しながら、入賞装置１４の小型化を図ることができる。
【００５９】
（第２実施形態）
第１実施形態では、単純な円錐コイルバネにてバネ１５ｄを構成していたが、本実施形態は、図８（ａ）及び図９（ａ）に示すように、主に非通電時にプランジャ１５ｃを変位させるための弾性力（付勢力）を発生する付勢バネ部Ｓｐ１と、主に通電時に発生する電磁吸引力に対向する弾性力を発生させる緩衝バネ部Ｓｐ２とによってバネ１５ｄを構成するとともに、緩衝バネ部Ｓｐ２のバネ定数Ｋ２を付勢バネ部Ｓｐ１のバネ定数Ｋ１に比べて大きくしたものである。
【００６０】
次に、本実施形態の特徴的作動及びその効果を説明する。
本実施形態のごとく、プランジャ１５ｃが電磁吸引力で吸引されて変位するタイプのアクチュエータでは、電磁吸引力で吸引されたプランジャ１５ｃは、通常、固定鉄心等のストッパに衝突して停止する。そして、本実施形態では、図１０に示すように、プランジャ１５ｃのうち励磁コイル１５ａ側の端部Ｃが、励磁コイル１５ａ内又はヨーク１５ｂに設けられたストッパ部Ｅに衝突することにより、プランジャ１５ｃが停止する。
【００６１】
一方、電磁吸引力は、磁気ギャップの略２乗に反比例して増大するので、これに呼応してプランジャ１５ｃの変位速度も磁気ギャップの減少に対して２次関数的に増大する。このため、プランジャ１５ｃの先端Ｃがストッパ部Ｅに衝突する際には、プランジャ１５ｃに非常に大きな衝突力（衝撃力）が作用することとなるため、プランジャ１５ｃの表面に形成した被膜が、この衝撃力によって剥がれてしまうおそれがある。
【００６２】
この問題に対しては、バネ１５ｄのバネ定数を大きくすれば、プランジャ１５ｃの先端Ｃがストッパ部Ｅに衝突する際の衝撃を緩和することができるもの、バネ定数を大きくすると、磁気ギャップが大きいとき、つまり電磁吸引力が最も小さいときにバネ１５ｄがプランジャ１５ｃに対して作用させる弾性力も大きくなってしまうので、バネ１５ｄの弾性力が電磁吸引力を上回ってしまい、通電してもプランジャ１５ｃ（アクチュエータ１５）が作動しないおそれがある。
【００６３】
そして、プランジャ１５ｃ（アクチュエータ１５）を確実に作動させるべく、励磁コイル１５ａの起磁力を増大させると、励磁コイル１５ａの大型化を招くとともに、電磁吸引力が増大して、プランジャ１５ｃの先端Ｃがストッパ部Ｅに衝突した時の衝撃力がより一層大きくなってしまい、プランジャ１５ｃの表面に形成した被膜がより一層剥がれてしまうので、結局は、上記問題を解決するができない。
【００６４】
これに対して、本実施形態では、主に非通電時にプランジャ１５ｃを変位させる弾性力を発生する付勢バネ部Ｓｐ１と、主に通電時に発生する電磁吸引力に対向する弾性力を発生させる緩衝バネ部Ｓｐ２とによってバネ１５ｄを構成しているので、付勢バネ部Ｓｐ１のバネ定数Ｋ１を揺動リンク１４ｄ及び翼片部１４ａを揺動させるに十分な弾性力が発生する程度の小さな値とし、かつ、緩衝バネ部Ｓｐ２のバネ定数Ｋ２をプランジャ１５ｃの先端Ｃがストッパ部Ｅに衝突した時の衝撃力に対向し得る程度の大きな値とすることが容易にできる。
【００６５】
したがって、磁気ギャップが大きいときにバネ１５ｄがプランジャ１５ｃに対して作用させている弾性力を小さくしつつ、プランジャ１５ｃの先端Ｃがストッパ部Ｅに衝突する際にバネ１５ｄがプランジャ１５ｃに対して作用させている弾性力を大きくすることが容易できるので、励磁コイル１５ａの大型化を招くことなく、プランジャ１５ｃの先端Ｃがストッパ部Ｅに衝突する際の衝撃を緩和することができる。
【００６６】
延いては、プランジャ１５ｃの表面に形成した被膜が剥がれてしまうことを防止できるので、アクチュエータ１５を確実に作動させながら、アクチュエータ１５の耐久性を向上させることができる。
【００６７】
すなわち、図８において、（ａ）は非通電状態におけるバネ１５ｄの状態を示しており、本実施形態では、付勢バネ部Ｓｐ１側が揺動リンク１４ｄ側に位置し、緩衝バネ部Ｓｐ２側が励磁コイル１５ａ側に位置するように配置されている。
【００６８】
そして、励磁コイル１５ａに通電されると、図８（ｂ）→図８（ｃ）→図８（ｄ）に示されるように、主に付勢バネ部Ｓｐ１が圧縮変形していき、付勢バネ部Ｓｐ１のピッチ寸法（ＪＩＳ  Ｂ  ２７０４  １９８２参照）が緩衝バネ部Ｓｐ２のピッチ寸法と略同等となった場合においては、バネ１５ｄのバネ定数は、緩衝バネ部Ｓｐ２のバネ定数Ｋ２と略同等となり、大きな弾性力が発生する。そこで、本実施形態では。図８（ｄ）又は図８（ｅ）の状態となるときに、プランジャ１５ｃの先端Ｃがストッパ部Ｅに衝突するようにして、プランジャ１５ｃに作用する衝撃を緩和し、プランジャ１５ｃに形成された皮膜が衝撃力により剥がれ落ちることを防止している。
【００６９】
また、図９に示すバネ１５ｄにおいても、図８に示すバネ１５ｄと同様であり、具体的には、以下の通りである。
すなわち、図９において、（ａ）は非通電状態におけるバネ１５ｄの状態を示しており、本実施形態では、付勢バネ部Ｓｐ１側が揺動リンク１４ｄ側に位置し、緩衝バネ部Ｓｐ２側が励磁コイル１５ａ側に位置するように配置されている。
【００７０】
そして、励磁コイル１５ａに通電されると、図９（ｂ）→図９（ｃ）→図９（ｄ）に示されるように、主に付勢バネ部Ｓｐ１が圧縮変形していき、付勢バネ部Ｓｐ１が全圧縮した状態では、バネ１５ｄのバネ定数は、緩衝バネ部Ｓｐ２のバネ定数Ｋ２と略同等となるので、大きな弾性力が発生する。そこで、本実施形態では。図９（ｄ）又は図９（ｅ）の状態となるときに、プランジャ１５ｃの先端Ｃがストッパ部Ｅに衝突するようにして、プランジャ１５ｃに作用する衝撃を緩和し、プランジャ１５ｃに形成された皮膜が衝撃力により剥がれ落ちることを防止している。
【００７１】
また、本実施形態では、付勢バネ部Ｓｐ１の変形可能領域、つまり付勢バネ部Ｓｐ１の長さを緩衝バネ部Ｓｐ２の変形領域、つまり緩衝バネ部Ｓｐ２の長さより長くして、プランジャ１５ｃの可動範囲を十分に確保している。
【００７２】
なお、本実施形態では、付勢バネ部Ｓｐ１側が揺動リンク１４ｄ側に位置し、緩衝バネ部Ｓｐ２側が励磁コイル１５ａ側に位置するように配置したが、本実施形態は、これに限定されるものではなく、例えばこれとは逆に、付勢バネ部Ｓｐ１側を励磁コイル１５ａ側に位置させ、緩衝バネ部Ｓｐ２側を揺動リンク１４ｄ側に位置するように配置してもよい。
【００７３】
また、本実施形態では、付勢バネ部Ｓｐ１と緩衝バネ部Ｓｐ２とが連続して一体化されたバネ１５ｄであったが、本実施形態は、これに限定されるものではなく、例えば付勢バネ部Ｓｐ１と緩衝バネ部Ｓｐ２とを独立した２種類のバネとし、これらのバネＳｐ１、Ｓｐ２を直列又は並列に配置してもよい。
【００７４】
但し、付勢バネ部Ｓｐ１と緩衝バネ部Ｓｐ２とを並列に配置するときは、付勢バネ部Ｓｐ１の長さを緩衝バネ部Ｓｐ２より長くして、プランジャ１５ｃが吸引されて所定寸法以上変位するまでは、緩衝バネ部Ｓｐ２の弾性力がプランジャ１５ｃに作用しないようにする必要がある。
【００７５】
また、本実施形態では、付勢バネ部Ｓｐ１の材料直径（線径）と緩衝バネ部Ｓｐ２の材料直径（線径）とを同一とし、コイル平均半径（ＪＩＳ  Ｂ  ２７０４  １９８２参照）及び挿巻数（ＪＩＳ  Ｂ  ２７０４  １９８２参照）を付勢バネ部Ｓｐ１と緩衝バネ部Ｓｐ２との相違させてバネ定数を相違させたが、本実施形態はこれに限定されるものではなく、例えば材料直径を付勢バネ部Ｓｐ１と緩衝バネ部Ｓｐ２との相違させてバネ定数を相違させてもよい。
【００７６】
（その他の実施形態）
上述の実施形態では、プランジャ１５ｃは往復運動するタイプのアクチュエータを採用したが、本発明はこれに限定されるものではなく、例えば平箱形ソレノイドやモータ等の電磁式アクチュエータであってもよい。
【００７７】
また、上述の実施形態では、第一始動口９と第二始動口１１とが一体となった入賞装置１４に本発明を適用したが、本発明はこれに限定されるものではなく、例えば大入賞口１０ａを開閉する変動入賞装置１０、又は１つ若しくは３つ以上の入賞口のみ有する入賞装置にも適用することができる。
【００７８】
また、上述の実施形態では、吸引防止カバー１４ｅを非磁性体で構成したが、吸引防止カバー１４ｅとアクチュエータ１５との距離を確保することができる場合は、吸引防止カバー１４ｅを金属等の磁性体製としてもよい。
【００７９】
また、上述の実施形態では、吸引防止カバー１４ｅとホルダー１４ｆとを一体化したが、本発明はこれに限定されるものではなく、例えば両者１４ｅ、１４ｆを別体としてもよい。
【００８０】
また、上述の実施形態では、２つの入賞口（第一始動口９及び第二始動口１１）が上下方向に近接して配置されたものであったが、本発明はこれに限定されるものではなく、例えば、２つの入賞口を水平方向に並べて配置してもよい。
【００８１】
また、本発明は、特許請求の範囲に記載された発明の趣旨に合致するものであればよく、上述の実施形態に限定されるものではない。
【図面の簡単な説明】
【００８２】
【図１】本発明の実施形態に係る弾球遊技機の正面図である。
【図２】本発明の実施形態に係る弾球遊技機における遊技盤の正面図である。
【図３】本発明の実施形態に係る弾球遊技機の電気系のブロック図である。
【図４】（ａ）は、本発明の第１実施形態において、始動口が開いた状態における入賞装置の正面図であり、（ｂ）は図４（ａ）のＡ−Ａ断面図であり、（ｃ）はＡ部拡大図である。
【図５】（ａ）は、本発明の第１実施形態において、始動口が閉じた状態における入賞装置の正面図であり、（ｂ）は図５（ａ）のＡ−Ａ断面図である。
【図６】本発明の第１実施形態に係るアクチュエータの作動を示す斜視図である。
【図７】本発明の第１実施形態に係るアクチュエータの作動を示す斜視図である。
【図８】本発明の第２実施形態に係るアクチュエータに用いられるバネの作動を示す図である。
【図９】本発明の第２実施形態に係るアクチュエータに用いられるバネの作動を示す図である。
【図１０】本発明の第２実施形態に係るアクチュエータの効果を説明するための図である。
【符号の説明】
【００８３】
１…遊技機、２…外枠、３…前面枠、４…上皿部、５…下皿部、
６…発射ハンドル、７…遊技盤、７ａ…外レール、７ｂ…内レール、
７ｃ…遊技領域、８…中央装置、８ａ…液晶表示装置、８ｂ…普通図柄表示装置、
９…始動口、９ａ…第一始動口通路、１０…変動入賞装置、
１０ａ…大入賞口、１０ｂ…開閉板、１０ｃ…アクチュエータ、１１…入賞口、
１１ａ…第二始動口通路、１２…普通図柄作動ゲート、１３…アウト口、
１４…入賞装置、１４ａ…翼片部、１４ｂ…入賞口本体、１４ｃ…遊技球受け部、
１４ｄ…揺動リンク、１４ｅ…吸引防止カバー、１４ｆ…ホルダー、１４ｇ…衝突面、
１４ｈ…案内突起、１４ｊ…案内突起、１５…アクチュエータ、１５ａ…励磁コイル、
１５ｂ…ヨーク、１５ｃ…プランジャ、１５ｄ…バネ、２０…電子制御装置、
２１…主制御部、２２…払出制御部、２２ａ…賞球払出装置、
２２ｂ…発射装置制御部、２２ｃ…払出用端子基板、２３…特別図柄制御部、
２４…音声・ランプ制御部、２５…電源受電基板、２６…電源ユニット、
２７…分電基板。
【図３】
2006136643.tif 000003
【図４】
2006136643.tif 000004
【図５】
2006136643.tif 000005
【図６】
2006136643.tif 000006
【図７】
2006136643.tif 000007
【図８】
2006136643.tif 000008
【図９】
2006136643.tif 000009
【図１０】
2006136643.tif 000010
【図１】
2006136643.tif 000011
【図２】
2006136643.tif 000012